(57)【特許請求の範囲】
【請求項１】
複数の走査線と複数の信号線との各交差に対応して配置され、前記各走査線の選択時の前記各信号線の電位に応じた階調を表示する複数の画素と、
前記複数の走査線を複数の単位期間において順次に選択する走査線駆動部と、
前記各単位期間内の書込期間に前記各画素の指定階調に応じた階調電位を前記各信号線に供給する信号供給部とを具備し、
前記複数の信号線のうちの一の信号線には、前記複数の単位期間のうちの第１単位期間内では前記書込期間の開始前にプリチャージ電位が供給され、前記第１単位期間の直後の第２単位期間内では、前記第１単位期間内の書込期間における階調電位の供給に続けて書込期間にて階調電位が供給され、当該第２単位期間内の書込期間の開始前にプリチャージ電位が供給されない
ことを特徴とする電気光学装置。
【請求項２】
前記第１単位期間と前記第２単位期間とは相等しい時間長に設定され、前記第１単位期間内の書込期間と前記第２単位期間内の書込期間とは相等しい時間長に設定される
請求項１の電気光学装置。
【請求項３】
前記第１単位期間と前記第２単位期間とは相等しい時間長に設定され、前記第２単位期間内の書込期間の時間長は前記第１単位期間内の書込期間の時間長よりも長い
請求項１の電気光学装置。
【請求項４】
前記第１単位期間内の書込期間と前記第２単位期間内の書込期間とは相等しい時間長に設定され、前記第２単位期間の時間長は前記第１単位期間の時間長よりも短い
請求項１の電気光学装置。
【請求項５】
請求項１から請求項４の何れかの電気光学装置を具備する電子機器。
【発明の詳細な説明】
【技術分野】
【０００１】
本発明は、液晶素子等の電気光学素子を利用して画像を表示する技術に関連する。
【背景技術】
【０００２】
複数の走査線と複数の信号線との各交差に対応して画素（画素回路）が行列状に配列された電気光学装置が従来から提案されている。複数の走査線の各々が水平走査期間毎に順次に選択され、各走査線の選択時における信号線の電位に応じて画素の表示階調が可変に設定される。特許文献１には、各走査線の選択のたびに所定のプリチャージ電位を各信号線に供給することで表示画像の表示斑（縦クロストーク）を防止する技術が開示されている。
【先行技術文献】
【特許文献】
【０００３】
【特許文献１】特開２００５−４３４１８号公報
【発明の概要】
【発明が解決しようとする課題】
【０００４】
各信号線に対するプリチャージ電位の供給時には、信号線に蓄積された電荷の充放電が発生することで電力が消費される。したがって、各走査線の選択のたびに各信号線にプリチャージ電位を供給する特許文献１の技術では、プリチャージ電位の供給に起因した電力の消費が増大するという問題がある。以上の事情を考慮して、本発明は、各信号線に対するプリチャージ電位の供給に起因した電力の消費を低減することを目的とする。
【課題を解決するための手段】
【０００５】
以上の課題を解決するために、本発明の電気光学装置は、複数の走査線と複数の信号線との各交差に対応して配置され、前記各走査線の選択時の前記各信号線の電位に応じた階調を表示する複数の画素と、前記複数の走査線を複数の単位期間において順次に選択する走査線駆動部と、前記各単位期間内の書込期間に前記各画素の指定階調に応じた階調電位を前記各信号線に供給する信号供給部とを具備し、前記複数の信号線のうちの一の信号線には、前記複数の単位期間のうちの第１単位期間（例えば単位期間Ｕ1）内では前記書込期間の開始前にプリチャージ電位が供給され、前記第１単位期間の直後の第２単位期間（例えば単位期間Ｕ2）内では、前記第１単位期間内の書込期間における階調電位の供給に続けて書込期間にて階調電位が供給され、当該第２単位期間内の書込期間の開始前にプリチャージ電位が供給されない。本発明の電気光学装置は、表示装置として各種の電子機器（例えば携帯電話機や投射型表示装置）に搭載され得る。
【０００６】
以上の構成においては、第１単位期間にて各信号線にプリチャージ電位が供給されることで表示斑が低減される一方、第２単位期間では各信号線に対するプリチャージ電位の供給が停止される。したがって、全部の単位期間にて各信号線にプリチャージ電位を供給する構成と比較して、各信号線に対するプリチャージ電位の供給に起因した電力の消費が低減される。
【０００７】
本発明の第１態様において、前記第１単位期間と前記第２単位期間とは相等しい時間長に設定され、前記第１単位期間内の書込期間と前記第２単位期間内の書込期間とは相等しい時間長に設定される。以上の態様においては、書込期間の時間長が第１単位期間と第２単位期間とで相異なる時間長に設定される構成（後述の第２態様）や、第１単位期間と第２単位期間とが相異なる時間長に設定される構成（後述の第１態様）と比較して、走査線駆動回路や信号供給回路の制御が容易化されるという利点がある。なお、第１態様の具体例は例えば第１実施形態として後述される。
【０００８】
本発明の第２態様において、前記第１単位期間と前記第２単位期間とは相等しい時間長に設定され、前記第２単位期間内の書込期間の時間長（例えば図５の時間長ｔw2）は前記第１単位期間内の書込期間の時間長（例えば図５の時間長ｔw1）よりも長い。以上の態様においては、第２単位期間のうち各画素に階調電位を供給する書込期間がプリチャージ期間の省略分だけ第１単位期間よりも長い時間に設定される。したがって、第２単位期間内において各画素に目標の階調電位を正確に供給することが可能である。なお、第２態様の具体例は例えば第２実施形態として後述される。
【０００９】
本発明の第３態様において、第１単位期間内の書込期間と前記第２単位期間内の書込期間とは相等しい時間長に設定され、前記第２単位期間の時間長（例えば図６の時間長ｔu2）は前記第１単位期間の時間長（例えば図６の時間長ｔu1）よりも短い。以上の態様においては、第２単位期間がプリチャージ期間の省略分だけ第１単位期間よりも短い時間長に設定される。したがって、第１単位期間と第２単位期間とが相等しい時間長に設定される構成と比較して、第１単位期間と第２単位期間との合計期間に占める書込期間の割合が相対的に増加する。したがって、各画素に対して正確に目標の階調電位を供給することが可能である。また、書込期間が第１単位期間と第２単位期間とで相等しい時間長に設定されるから、書込期間の時間長が第１単位期間と第２単位期間とで相違する第２態様と比較すると、第１単位期間にて階調電位が供給される各画素と第２単位期間にて階調電位が供給される各画素とで表示階調が均一化されるという利点がある。なお、第３態様の具体例は例えば第３実施形態として後述される。
【００１０】
本発明の好適な態様において、前記走査線駆動回路は、各垂直走査期間内の単位期間毎に前記複数の走査線の各々を順次に選択し、前記各垂直走査期間は、前記第１単位期間と前記第２単位期間とを含む。以上の構成においては、各垂直走査期間内に第１単位期間と第２単位期間とが混在するから、第１単位期間にて階調電位が供給される各画素と第２単位期間にて階調電位が供給される各画素とで、プリチャージ電位の供給の有無に起因した表示階調の差異が利用者に知覚され難いという利点がある。奇数行の走査線に対応する各単位期間が前記第１単位期間および前記第２単位期間の一方に設定され、偶数行の走査線に対応する各単位期間が前記第１単位期間および前記第２単位期間の他方に設定される構成によれば、以上の効果は格別に顕著となる。
【００１１】
なお、第１単位期間と第２単位期間との切替（プリチャージ電位の供給の有無の切替）の周期は任意である。例えば、以上の例示のように垂直走査期間内に第１単位期間と第２単位期間とを混在させる構成のほか、一の垂直走査期間では各単位期間を第１単位期間に設定するとともに他の垂直走査期間では各単位期間を第２単位期間に設定するという具合に垂直走査期間毎に第１単位期間と第２単位期間とを切替える構成も採用され得る。すなわち、第１単位期間と第２単位期間とが１個の垂直走査期間内に混在する構成と、第１単位期間と第２単位期間とが別個の垂直走査期間内に存在する構成との双方を本発明は包含する。
【００１２】
本発明の好適な態様において、複数の単位期間の各々は、各第１垂直走査期間では前記第１単位期間および前期第２単位期間の一方に設定され、前記第１垂直走査期間とは相違する各第２垂直走査期間では前期第１単位期間および前記第２単位期間の他方に設定される。以上の態様においては、各単位期間が、プリチャージ期間を含む第１単位期間とプリチャージ期間を含まない第２単位期間との一方から他方に時間的に変化する。したがって、プリチャージ電位の供給の有無に応じた各画素の表示階調の差異が時間的に平準化されて表示斑が有効に低減される。
【００１３】
本発明の好適な態様において、前記信号供給回路は、各単位期間内の書込期間にて時分割で前記各画素の指定階調に応じた階調電位に設定されるとともに前記各第１単位期間内の書込期間の開始前のプリチャージ期間にてプリチャージ電位に設定される制御信号を制御線（例えば図４の制御線１６）に供給する信号生成回路（例えば図４の信号生成回路５２）と、前記複数の信号線の各々と前記制御線との接続を制御する複数のスイッチ（例えば図４のスイッチ５８[1]〜５８[K]）とを含み、前記第１単位期間内の前記プリチャージ期間にて前記複数のスイッチを一斉にオン状態に制御し、前記各単位期間内の前記書込期間にて前記複数のスイッチの各々を順次にオン状態に制御する制御回路を具備する。以上の態様においては、階調電位とプリチャージ電位とを各信号線に供給する経路が共通化されるから、両電位の供給経路が別個に設置された構成と比較して電気光学装置の構成が簡素化されるという利点がある。ただし、階調電位とプリチャージ電位とが別個の経路で各信号線に供給される構成（例えば図９の信号供給回路２４B）も本発明の範囲に包含される。
【図面の簡単な説明】
【００１４】
【図１】本発明の第１実施形態に係る電気光学装置のブロック図である。
【図２】画素の回路図である。
【図３】電気光学装置の動作の説明図である。
【図４】信号線駆動回路のブロック図である。
【図５】第２実施形態に係る電気光学装置の動作の説明図である。
【図６】第３実施形態に係る電気光学装置の動作の説明図である。
【図７】第４実施形態に係る信号供給回路のブロック図である。
【図８】第４実施形態に係る電気光学装置の動作の説明図である。
【図９】本発明の変形例に係る電気光学装置のブロック図である。
【図１０】電子機器の形態（パーソナルコンピュータ）を示す斜視図である。
【図１１】電子機器の形態（携帯電話機）を示す斜視図である。
【図１２】電子機器の形態（投射型表示装置）を示す斜視図である。
【発明を実施するための形態】
【００１５】
＜Ａ：第１実施形態＞
図１は、本発明の第１実施形態に係る電気光学装置１００のブロック図である。電気光学装置１００は、画像を表示する表示機器として様々な電子機器に搭載される液晶装置である。図１に示すように、電気光学装置１００は、複数の画素（画素回路）ＰIXが平面状に配列された画素部１０と、各画素ＰIXを駆動する駆動回路２０と、駆動回路２０を制御する制御回路３０とを具備する。駆動回路２０は、走査線駆動回路２２と信号供給回路（信号線駆動回路）２４とを含んで構成される。
【００１６】
画素部１０には、相互に交差するＭ本の走査線１２とＮ本の信号線１４とが形成される（Ｍ，Ｎは自然数）。複数の画素ＰIXは、各走査線１２と各信号線１４との交差に対応して配置されて縦Ｍ行×横Ｎ列の行列状に配列する。図１に示すように、画素部１０内のＮ本の信号線１４は、相隣接するＫ本（Ｋは２以上の自然数）を単位としてＪ個の配線群（ブロック）Ｂ[1]〜Ｂ[J]に区分される（Ｊ＝Ｎ/Ｋ）。
【００１７】
図２は、各画素ＰIXの回路図である。図２に示すように、各画素ＰIXは、液晶素子４２と選択スイッチ４４とを含んで構成される。液晶素子４２は、相対向する画素電極４２１および共通電極４２３と両電極間の液晶４２５とで構成される電気光学素子である。画素電極４２１と共通電極４２３との間の印加電圧に応じて液晶４２５の透過率が変化する。
【００１８】
選択スイッチ４４は、走査線１２にゲートが接続されたＮチャネル型の薄膜トランジスターで構成され、液晶素子４２（画素電極４２１）と信号線１４との間に介在して両者の電気的な接続（導通／非導通）を制御する。したがって、画素ＰIX（液晶素子４２）は、選択スイッチ４４がオン状態に制御されたときの信号線１４の電位（後述の階調電位ＶG）に応じた階調を表示する。なお、液晶素子４２に対して並列に接続される補助容量等の図示は省略されている。また、画素ＰIXの構成は適宜に変更され得る。
【００１９】
図１の制御回路３０は、同期信号を含む各種の信号の出力で駆動回路２０を制御する。例えば、制御回路３０は、図３に示すように、垂直走査期間Ｖを規定する同期信号ＶSYNCや水平走査期間を規定する同期信号ＨSYNCを走査線駆動回路２２および信号供給回路２４に供給する。また、制御回路３０は、各画素ＰIXの階調を時分割で指定する画像信号ＶIDや、各配線群Ｂ[j]（ｊ＝１〜Ｊ）内の信号線１４の本数に相当するＫ系統の選択信号ＳEL[1]〜ＳEL[K]を信号供給回路２４に供給する。
【００２０】
図１の走査線駆動回路２２は、各走査線１２に走査信号Ｇ[1]〜Ｇ[M]を供給することでＭ本の走査線１２の各々を単位期間Ｕ（Ｕ1，Ｕ2）毎に順次に選択する。単位期間Ｕは、同期信号ＨSYNCの１周期の時間長（水平走査期間）に設定される。図３に示すように、第ｍ行の走査線１２に供給される走査信号Ｇ[m]は、各垂直走査期間Ｖ内のＭ個の単位期間Ｕのうち第ｍ番目の単位期間Ｕ内にてハイレベル（走査線１２の選択を意味する電位）に設定される。走査線駆動回路２２が第ｍ行の走査線１２を選択すると、第ｍ行のＮ個の画素ＰIXの各選択スイッチ４４がオン状態に遷移する。図１の信号供給回路２４は、走査線駆動回路２２による走査線１２の選択に同期してＮ本の信号線１４の各々の電位を制御する。
【００２１】
図３に示すように、各垂直走査期間Ｖ内のＭ個の単位期間Ｕは、単位期間Ｕ1と単位期間Ｕ2とに区別される。単位期間Ｕ1は、奇数行の走査線１２が選択される単位期間Ｕであり、単位期間Ｕ2は、偶数行の走査線１２が選択される単位期間Ｕである。すなわち、単位期間Ｕ1と単位期間Ｕ2とが垂直走査期間Ｖ内に交互に配列する。単位期間Ｕ1の時間長ｔu1と単位期間Ｕ2の時間長ｔu2とは相等しい。
【００２２】
図３に示すように、Ｍ個の単位期間Ｕのうちの各単位期間Ｕ1は、プリチャージ期間ＴPREと書込期間ＴWRTとを含んで構成される。プリチャージ期間ＴPREは書込期間ＴWRTの開始前に設定される。他方、Ｍ個の単位期間Ｕのうちの各単位期間Ｕ2は、書込期間ＴWRTを含んで構成される。単位期間Ｕ2内にプリチャージ期間ＴPREは設定されない。単位期間Ｕ1内の書込期間ＴWRTの時間長ｔw1と単位期間Ｕ2内の書込期間ＴWRTの時間長ｔw2とは相等しい。各単位期間Ｕ（Ｕ1，Ｕ2）内の書込期間ＴWRTでは、各画素ＰIXの指定階調に応じた階調電位ＶGが各信号線１４に供給され、単位期間Ｕ1内のプリチャージ期間ＴPREでは所定のプリチャージ電位ＶPRE（ＶPREa，ＶPREb）が各信号線１４に供給される。他方、単位期間Ｕ2では各信号線１４に対するプリチャージ電位ＶPREの供給が停止する。
【００２３】
図４は、信号供給回路２４のブロック図である。図４に示すように、信号供給回路２４は、信号生成回路５２と信号分配回路５４とを含んで構成される。信号生成回路５２と信号分配回路５４とは、相異なる配線群Ｂ[j]に対応するＪ本の制御線１６で相互に接続される。信号生成回路５２は、集積回路（チップ）の形態で実装され、走査線駆動回路２２および信号分配回路５４は、画素ＰIXとともに基板の表面に形成された薄膜トランジスターで構成される。ただし、駆動回路２０の実装の形態は任意に変更される。
【００２４】
図４の信号生成回路５２は、相異なる配線群Ｂ[j]に対応するＪ系統の制御信号Ｃ[1]〜Ｃ[J]を各制御線１６に並列に供給する。図３に示すように、信号生成回路５２は、各単位期間Ｕ1内のプリチャージ期間ＴPREにて制御信号Ｃ[1]〜Ｃ[J]をプリチャージ電位ＶPRE（ＶPREa，ＶPREb）に設定する。プリチャージ電位ＶPREは、所定の基準電位ＶREF（例えば階調電位ＶGの振幅中心に相当する電位）に対して負極性の電位に設定される。プリチャージ期間ＴPREを含まない各単位期間Ｕ2内では、制御信号Ｃ[1]〜Ｃ[J]はプリチャージ電位ＶPREに設定されない。
【００２５】
また、信号生成回路５２は、第ｍ行の走査線１２が選択される単位期間Ｕ（Ｕ1，Ｕ2）内の書込期間ＴWRTにおいて、制御信号Ｃ[j]を、第ｍ行の走査線１２と配線群Ｂ[j]のＫ本の信号線１４との各
交差に対応するＫ個の画素ＰIXの指定階調に応じた階調電位ＶGに時分割で設定する。各画素ＰIXの指定階調は、制御回路３０から供給される画像信号ＶIDで規定される。基準電位ＶREFに対する階調電位ＶGの極性は周期的（例えば垂直走査期間Ｖ毎）に順次に反転される。図３に示すように、制御信号Ｃ[1]〜Ｃ[J]の各々は、階調電位ＶGが基準電位ＶREFに対して正極性に設定される書込期間ＴWRTの直前のプリチャージ期間ＴPREではプリチャージ電位ＶPREaに設定され、階調電位ＶGが負極性に設定される書込期間ＴWRTの直前のプリチャージ期間ＴPREではプリチャージ電位ＶPREbに設定される。プリチャージ電位ＶPREaは、プリチャージ電位ＶPREbよりも低い電位（基準電位ＶREFとの差異が大きい電位）に設定される。
【００２６】
図４に示すように、信号分配回路５４は、相異なる配線群Ｂ[j]に対応するＪ個の分配回路５６[1]〜５６[J]を具備する。第ｊ番目の分配回路５６[j]は、第ｊ番目の制御線１６に供給される制御信号Ｃ[j]を配線群Ｂ[j]のＫ本の信号線１４の各々に分配する回路（デマルチプレクサ）であり、配線群Ｂ[j]の相異なる信号線１４に対応するＫ個のスイッチ５８[1]〜５８[K]を含んで構成される。分配回路５６[j]の第ｋ番目（ｋ＝１〜Ｋ）のスイッチ５８[k]は、配線群Ｂ[j]のＫ本の信号線１４のうち第ｋ列目の信号線１４とＪ本の制御線１６のうち第ｊ番目の制御線１６との間に介在して両者間の電気的な接続（導通／非導通）を制御する。制御回路３０が生成した各選択信号ＳEL[k]は、Ｊ個の分配回路５６[1]〜５６[J]の各々における第ｋ番目のスイッチ５８[k]（信号分配回路５４内で合計Ｊ個のスイッチ５８[k]）のゲートに並列に供給される。
【００２７】
図３に示すように、制御回路３０は、各単位期間Ｕ1内のプリチャージ期間ＴPREにてＫ系統の選択信号ＳEL[1]〜ＳEL[K]を一斉にアクティブレベル（スイッチ５８[k]をオン状態に遷移させる電位）に設定する。したがって、各単位期間Ｕ1内のプリチャージ期間ＴPREでは、信号分配回路５４内の全部（Ｊ×Ｋ個）のスイッチ５８[k]がオン状態に遷移し、Ｎ本の信号線１４の各々（さらには各画素ＰIX内の画素電極４２１）に並列にプリチャージ電位ＶPREが供給される。以上のように各画素ＰIXに対する階調電位ＶGの供給前（書込前）に各信号線１４の電位がプリチャージ電位ＶPREに初期化されるから、表示画像の階調斑（縦クロストーク）を防止することが可能である。
【００２８】
他方、各単位期間Ｕ（Ｕ1，Ｕ2）内の書込期間ＴWRTにおいて、制御回路３０は、Ｋ系統の選択信号ＳEL[1]〜ＳEL[K]をＫ個の選択期間Ｓ[1]〜Ｓ[K]にて順番にアクティブレベルに設定する。したがって、第ｍ行の走査線１２が選択される単位期間Ｕ内の選択期間Ｓ[k]では、分配回路５６[1]〜５６[J]の各々におけるＫ個のスイッチ５８[1]〜５８[K]のうち第ｋ番目のスイッチ５８[k]（信号分配回路５４内で合計Ｊ個のスイッチ５８[k]）がオン状態に遷移し、各配線群Ｂ[j]の第ｋ列目の信号線１４に制御信号Ｃ[j]の階調電位ＶGが供給される。すなわち、各単位期間Ｕ（Ｕ1，Ｕ2）内の書込期間ＴWRTでは、Ｊ個の配線群Ｂ[1]〜Ｂ[J]の各々において当該配線群Ｂ[j]内のＫ本の信号線１４に階調電位ＶGが時分割で供給される。第ｍ番目の単位期間Ｕ内の選択期間Ｓ[k]において、階調電位ＶGは、第ｍ行の走査線１２と配線群Ｂ[j]の第ｋ列目の信号線１４との交差に対応する画素ＰIXの指定階調に応じて設定される。
【００２９】
以上に説明した第１実施形態では、各単位期間Ｕ1にて各信号線１４にプリチャージ電位ＶPREを供給し、各単位期間Ｕ2では各信号線１４に対するプリチャージ電位ＶPREの供給が省略される。したがって、垂直走査期間Ｖ内の全部の単位期間Ｕにて各信号線１４にプリチャージ電位ＶPREを供給する構成（特許文献１の構成）と比較して、各信号線１４に対するプリチャージ電位ＶPREの供給に起因した電力の消費が低減されるという利点がある。
【００３０】
なお、各単位期間Ｕ2にて信号線１４にプリチャージ電位ＶPREを供給しない以上の形態では、各画素ＰIXに同等の階調が指定された場合でも、単位期間Ｕ1で選択される走査線１２に対応する各画素ＰIXの表示階調と、単位期間Ｕ2で選択される走査線１２に対応する各画素ＰIXの表示階調とが厳密には相違する可能性がある。しかし、単位期間Ｕ1と単位期間Ｕ2とが各垂直走査期間Ｖ内に混在するから、単位期間Ｕ2でのプリチャージ電位ＶPREの停止に起因した表示階調の相違は実際には観察者に知覚され難い。第１実施形態では単位期間Ｕ1と単位期間Ｕ2とが交互に配列するから、単位期間Ｕ2でのプリチャージ電位ＶPREの停止に起因した表示階調の相違が観察者に知覚され難いという効果は格別に顕著である。
【００３１】
＜Ｂ：第２実施形態＞
本発明の第２実施形態を説明する。なお、以下に例示する各態様において作用や機能が第１実施形態と同等である要素については、以上の説明で参照した符号を流用して各々の詳細な説明を適宜に省略する。
【００３２】
図５は、第２実施形態の電気光学装置１００の動作の説明図である。第１実施形態と同様に、プリチャージ期間ＴPREを含む単位期間Ｕ1とプリチャージ期間ＴPREを含まない単位期間Ｕ2とが垂直走査期間Ｖ内に交互に配列する。単位期間Ｕ1の時間長ｔu1と単位期間Ｕ2の時間長ｔu2とは相等しい。
【００３３】
他方、第２実施形態では、単位期間Ｕ2内の書込期間ＴWRTの時間長ｔw2が、プリチャージ期間ＴPREが省略される分だけ、単位期間Ｕ1内の書込期間ＴWRTの時間長ｔw1よりも長い時間に設定される。具体的には、各単位期間Ｕ2の書込期間ＴWRTにおける各選択期間Ｓ[k]の時間長（選択信号ＳEL[k]のパルス幅）ｔs2は、各単位期間Ｕ1の書込期間ＴWRTにおける各選択期間Ｓ[k]の時間長ｔs1よりも長い時間に設定される。すなわち、単位期間Ｕ1内の書込期間ＴWRTでは各信号線１４に時間長ｔs1にわたり階調電位ＶGが供給され、単位期間Ｕ2内の書込期間ＴWRTでは各信号線１４に時間長ｔs2にわたり階調電位ＶGが供給される。
【００３４】
以上に説明した第２実施形態でも、単位期間Ｕ2内のプリチャージ期間ＴPREが省略されるから、第１実施形態と同様の効果が実現される。また、単位期間Ｕ2内で各画素ＰIXに階調電位ＶGを供給する選択期間Ｓ[k]の時間長ｔs2が、単位期間Ｕ1内の各選択期間Ｓ[k]の時間長ｔs1よりも長い時間に設定される。したがって、各選択期間Ｓ[k]の時間長が単位期間Ｕ1と単位期間Ｕ2とで相等しい構成（第１実施形態の構成）と比較して、単位期間Ｕ2内で各画素ＰIXに目標の階調電位ＶGを正確に供給することが可能である。
【００３５】
なお、以上の形態では、選択期間Ｓ[k]の時間長（ｔs1，ｔs2）が単位期間Ｕ1と単位期間Ｕ2とで相違するから、各画素ＰIXに同等の階調が指定された場合でも、単位期間Ｕ1で選択される走査線１２に対応する各画素ＰIXに供給される階調電位ＶGと、単位期間Ｕ2で選択される走査線１２に対応する各画素ＰIXに供給される階調電位ＶGとが厳密には相違する可能性がある。しかし、単位期間Ｕ1と単位期間Ｕ2とが各垂直走査期間Ｖ内に混在するから、選択期間Ｓ[k]の時間長に応じた階調電位ＶGの相違は実際には観察者に知覚され難い。第２実施形態では、単位期間Ｕ1と単位期間Ｕ2とが交互に配列するから、選択期間Ｓ[k]の時間長に起因した階調電位ＶGの相違が観察者に知覚され難いという効果は格別に顕著である。
【００３６】
＜Ｃ：第３実施形態＞
図６は、第３実施形態の電気光学装置１００の動作の説明図である。第１実施形態と同様に、プリチャージ期間ＴPREを含む単位期間Ｕ1とプリチャージ期間ＴPREを含まない単位期間Ｕ2とが垂直走査期間Ｖ内に交互に配列する。書込期間ＴWRT（各選択期間Ｓ[k]）の時間長は、各単位期間Ｕ1と各単位期間Ｕ2とで相等しい。第３実施形態では、単位期間Ｕ2の時間長ｔu2が、プリチャージ期間ＴPREが省略される分だけ、単位期間Ｕ1の時間長ｔu1よりも短い時間に設定される。相前後する単位期間Ｕ1と単位期間Ｕ2との時間長の合計は、制御回路３０に供給される映像信号の水平同期信号で規定される水平期間の２個分の時間長に相当する。
【００３７】
以上に説明した第３実施形態でも、単位期間Ｕ2内のプリチャージ期間ＴPREが省略されるから、第１実施形態と同様の効果が実現される。なお、第１実施形態では、単位期間Ｕ2にてプリチャージ期間ＴPREが省略されるにも関わらず単位期間Ｕ2は単位期間Ｕ1と同等の時間長に設定されるから、図３に示すように、各信号線１４に対してプリチャージ電位ＶPREも階調電位ＶGも供給されない期間が単位期間Ｕ2内（書込期間ＴWRTの直前）に不可避的に発生する。他方、第３実施形態では、各単位期間Ｕ2がプリチャージ期間ＴPREの省略分だけ単位期間Ｕ1よりも短い時間長ｔu2に設定される（プリチャージ電位ＶPREも階調電位ＶGも供給されない期間が省略される）から、相前後する単位期間Ｕ1と単位期間Ｕ2とで構成される期間に占める書込期間ＴWRTの割合が第１実施形態と比較して増加する。したがって、各信号線１４の電位を各選択期間Ｓ[k]にて正確に目標の階調電位ＶGに設定することが可能である。
【００３８】
ただし、第１実施形態では、単位期間Ｕ1と単位期間Ｕ2とが相等しい時間長に設定されるとともに各書込期間ＴWRTが単位期間Ｕ1と単位期間Ｕ2とで相等しい時間長に設定される。したがって、書込期間ＴWRTの時間長を単位期間Ｕ1と単位期間Ｕ2とで相違させる第２実施形態や、単位期間Ｕ1の時間長ｔu1と単位期間Ｕ2の時間長ｔu2とを相違させる第３実施形態と比較して、駆動回路２０の制御が容易化されるという利点がある。
【００３９】
＜Ｄ：第４実施形態＞
第４実施形態の電気光学装置１００は、以上の各形態の信号供給回路２４を図７の信号供給回路２４Aに置換した構成である。図７に示すように、信号供給回路２４Aは、選択回路６２および出力回路６４と、配線群Ｂ[j]内の信号線１４の総数に相当するＫ本の制御線７２[1]〜７２[K]とを具備する。制御回路３０は、Ｋ系統の制御信号Ｃ[1]〜Ｃ[K]を並列に生成する。制御信号Ｃ[k]は制御線７２[k]に供給される。選択回路６２は、制御回路３０による制御のもとでＪ系統の選択信号ＳEL[1]〜ＳEL[J]を並列に出力する。
【００４０】
出力回路６４は、配線群Ｂ[j]の総数に相当するＪ個の単位回路６６[1]〜６６[J]を含んで構成される。各単位回路６６[j]はＫ個のスイッチ６８[1]〜６８[K]で構成される。各単位回路６６[j]内の第ｋ番目のスイッチ６８[k]は、配線群Ｂ[j]の第ｋ列目の信号線１４と第ｋ番目の制御線７２[k]との間に介在して両者間の電気的な接続（導通／非導通）を制御する。選択回路６２から出力される選択信号ＳEL[j]がアクティブレベルに設定されると、単位回路６６[j]内のＫ個のスイッチ６８[1]〜６８[K]が同時にオン状態に遷移する。
【００４１】
第１実施形態と同様に、各垂直走査期間Ｖには、プリチャージ期間ＴPREおよび書込期間ＴWRTの双方を含む単位期間Ｕ1と、書込期間ＴWRTを含むがプリチャージ期間ＴPREを含まない単位期間Ｕ2とが交互に設定される。
【００４２】
図８に示すように、単位期間Ｕ1のプリチャージ期間ＴPREでは、制御回路３０がＪ系統の制御信号Ｃ[1]〜Ｃ[K]を一斉にプリチャージ電位ＶPRE（ＶPREa，ＶPREb）に設定するとともに選択回路６２がＫ系統の選択信号ＳEL[1]〜ＳEL[K]を一斉にアクティブレベルに設定する。したがって、各単位期間Ｕ1内のプリチャージ期間ＴPREでは、出力回路６４内の全部（Ｋ×Ｊ個）のスイッチ６８[k]がオン状態に遷移して、Ｎ本の信号線１４の各々（さらには各画素ＰIX内の画素電極４２１）にプリチャージ電位ＶPREが供給される。
【００４３】
他方、各単位期間Ｕ（Ｕ1，Ｕ2）内の書込期間ＴWRTにおいて、選択回路６２は、図８に示すように、Ｊ系統の選択信号ＳEL[1]〜ＳEL[J]の各々を順次にアクティブレベルに設定する。書込期間ＴWRTのうち選択信号ＳEL[j]がアクティブレベルとなる選択期間Ｓ[j]では、単位回路６６[j]内のＫ個のスイッチ６８が一斉にオン状態に制御される。第ｍ行の走査線１２が選択される単位期間Ｕ内の選択期間Ｓ[j]において、制御回路３０は、各制御信号Ｃ[k]を、第ｍ行の走査線１２と配線群Ｂ[j]の第ｋ列目の信号線１４との交差に対応する画素ＰIXの指定階調に応じた階調電位ＶGに設定する（相展開駆動）。したがって、各単位期間Ｕの書込期間ＴWRTでは、各走査線１２に対応するＮ個の画素ＰIXに対して、指定階調に応じた階調電位ＶGが、各配線群Ｂ[j]に対応するＫ個を単位として順次に供給される。
【００４４】
第４実施形態でも第１実施形態と同様の効果が実現される。なお、以上の説明では第１実施形態を基礎として第４実施形態を説明したが、単位期間Ｕ2内の書込期間ＴWRT（各選択期間Ｓ[k]）を単位期間Ｕ1内の書込期間ＴWRTよりも長い時間長に設定する第２実施形態の構成（図５）や、単位期間Ｕ2を単位期間Ｕ1よりも短い時間長ｔu2に設定する第３実施形態の構成（図６）は、図７に例示した信号供給回路２４Aを採用した構成にも同様に適用され得る。
【００４５】
＜Ｅ：変形例＞
以上の各形態は多様に変形され得る。具体的な変形の態様を以下に例示する。以下の例示から任意に選択された２以上の態様は相矛盾しない限り適宜に併合され得る。
【００４６】
（１）変形例１
以上の各形態では、単位期間Ｕ1のうち走査線１２を選択する期間がプリチャージ期間ＴPREを含む構成（すなわち、走査線１２の選択でオン状態となった選択スイッチ４４を経由してプリチャージ電位ＶPREが画素電極４２１まで到達する構成）を例示したが、走査線１２の選択前に各信号線１４にプリチャージ電位ＶPREを供給する構成（すなわち、プリチャージ期間ＴPREにて走査線１２を選択せず、プリチャージ電位ＶPREを画素電極４２１までは到達させない構成）も採用され得る。何れの構成においても信号線１４がプリチャージ電位ＶPREに初期化されるから、表示画像の階調斑は抑制される。
【００４７】
（２）変形例２
以上の形態では、単位期間Ｕ1と単位期間Ｕ2とを交互に設定したが、単位期間Ｕ1と単位期間Ｕ2との切替（プリチャージの有無の切替）の周期は適宜に変更される。例えば、垂直走査期間Ｖ内で相連続する複数個の単位期間Ｕを単位として単位期間Ｕ1と単位期間Ｕ2とを切替える構成も採用され得る。例えば、垂直走査期間Ｖ内の第１番目から第３番目の単位期間Ｕを単位期間Ｕ1に設定し、第４番目から第６番目の単位期間Ｕを単位期間Ｕ2に設定するという具合である。また、単位期間Ｕ1と単位期間Ｕ2との個数比も任意である。例えば、複数（３個以上）の単位期間Ｕのうちの１個を単位期間Ｕ1に設定するとともに残余を単位期間Ｕ2に設定した構成（例えば、３個の単位期間Ｕにつき１回のプリチャージを実行する構成や４個の単位期間Ｕにつき１回のプリチャージを実行する構成）も採用され得る。また、垂直走査期間Ｖを周期として単位期間Ｕ1と単位期間Ｕ2とを切替える構成も採用される。例えば、垂直走査期間Ｖ内のＭ個の単位期間Ｕを単位期間Ｕ1に設定し、直後の垂直走査期間Ｖ内のＭ個の単位期間Ｕを単位期間Ｕ2に設定する。
【００４８】
（３）変形例３
走査線駆動回路２２が選択する各走査線１２の位置と単位期間Ｕ1および単位期間Ｕ2との関係が経時的に変化する構成も採用される。例えば、垂直走査期間Ｖ内では以上の各形態と同様に、奇数行の走査線１２が選択される単位期間Ｕを単位期間Ｕ1に設定するとともに偶数行の走査線１２が選択される単位期間Ｕを単位期間Ｕ2に設定し、他の垂直走査期間Ｖ内では、奇数行の走査線１２が選択される単位期間Ｕを単位期間Ｕ2に設定するとともに偶数行の走査線１２が選択される単位期間Ｕを単位期間Ｕ1に設定するという具合である。以上の構成によれば、プリチャージ電位ＶPREの供給の有無に応じた表示階調の差異が時間的に平準化されるから、表示斑の低減の効果は格別に顕著となる。
【００４９】
（４）変形例４
以上の各形態では、階調電位ＶGとプリチャージ電位ＶPREとを共通の経路で各信号線１４に供給したが、例えば図９に例示するように、階調電位ＶGとプリチャージ電位ＶPREとを別経路で各信号線１４に供給する構成も採用される。図９の信号供給回路２４Bは、信号線駆動回路２４２とプリチャージ回路２４４とを含んで構成される。信号線駆動回路２４２は、以上の各形態における信号供給回路２４（または第４実施形態の信号供給回路２４A）と同様の構成である。プリチャージ回路２４４は、プリチャージ電位ＶPREが供給される電位線８２と各信号線１４との導通を制御するＮ個のスイッチ８０で構成される。単位期間Ｕ1内のプリチャージ期間ＴPREにて制御回路３０がプリチャージ回路２４４の各スイッチ８０をオン状態に制御することで各信号線１４にプリチャージ電位ＶPREが供給される。
【００５０】
（５）変形例５  
以上の各形態では階調電位ＶGの極性に応じてプリチャージ電位ＶPREaまたはプリチャージ電位ＶPREbを選択的に信号線１４に供給したが、１種類のプリチャージ電位ＶPREのみを信号線１４に供給する構成も採用され得る。また、プリチャージ電位ＶPREは任意に選定される。例えば、基準電位ＶREFに対してプリチャージ電位ＶPREを正極性の電位に設定した構成も採用され得る。
【００５１】
（６）変形例６  
Ｎ本の信号線１４をＪ個の配線群Ｂ[1]〜Ｂ[J]に区分する構成は省略され得る。すなわち、以上の各形態における１個の配線群Ｂ[j]のみに着目した構成にも本発明は適用される。
【００５２】
（７）変形例７  
各単位期間Ｕ（Ｕ1,Ｕ2）の書込期間ＴWRTにてスイッチ５８[1]〜５８[K]をオン状態に遷移させる順番を順次に変化させる構成も採用され得る。例えば、特開２００４−４５９６７号公報に開示された構成が好適である。
【００５３】
（８）変形例８  
液晶素子４２は電気光学素子の例示に過ぎない。本発明に適用される電気光学素子について、自身が発光する自発光型と外光の透過率や反射率を変化させる非発光型（例えば液晶素子）との区別や、電流の供給によって駆動される電流駆動型と電界（電圧）の印加によって駆動される電圧駆動型との区別は不問である。例えば、有機ＥＬ素子，無機ＥＬ素子，ＬＥＤ（Light Emitting Diode），電界電子放出素子（ＦＥ（Field-Emission）素子），表面伝導型電子放出素子（ＳＥ（Surface conduction Electron emitter）素子），弾道電子放出素子（ＢＳ（Ballistic electron Emitting）素子），電気泳動素子、エレクトロクロミック素子など様々な電気光学素子を利用した電気光学装置１００に本発明は適用される。すなわち、電気光学素子は、電流の供給や電圧（電界）の印加といった電気的な作用に応じて階調（透過率や輝度などの光学的な特性）が変化する電気光学物質（例えば液晶）を利用した被駆動素子（典型的には、階調信号に応じて階調が制御される表示素子）として包括される。
【００５４】
＜Ｆ：応用例＞
以上の各形態に例示した電気光学装置１００は、各種の電子機器に利用され得る。図１０から図１２には、電気光学装置１００を採用した電子機器の具体的な形態が例示されている。
【００５５】
図１０は、電気光学装置１００を採用した可搬型のパーソナルコンピュータの斜視図である。パーソナルコンピュータ２０００は、各種の画像を表示する電気光学装置１００と、電源スイッチ２００１やキーボード２００２が設置された本体部２０１０とを具備する。
【００５６】
図１１は、電気光学装置１００を適用した携帯電話機の斜視図である。携帯電話機３０００は、複数の操作ボタン３００１およびスクロールボタン３００２と、各種の画像を表示する電気光学装置１００とを備える。スクロールボタン３００２を操作することによって、電気光学装置１００に表示される画面がスクロールされる。
【００５７】
図１２は、電気光学装置１００を適用した投射型表示装置（３板式のプロジェクタ）４０００の模式図である。投射型表示装置４０００は、相異なる表示色（赤色，緑色，青色）に対応する３個の電気光学装置１００（１００R，１００G，１００B）を含んで構成される。照明光学系４００１は、照明装置（光源）４００２からの出射光のうち赤色成分ｒを電気光学装置１００Rに供給し、緑色成分ｇを電気光学装置１００Gに供給し、青色成分ｂを電気光学装置１００Bに供給する。各電気光学装置１００は、照明光学系４００１から供給される各単色光を表示画像に応じて変調する光変調器（ライトバルブ）として機能する。投射光学系４００３は、各電気光学装置１００からの出射光を合成して投射面４００４に投射する。
【００５８】
なお、本発明に係る電気光学装置が適用される電子機器としては、図１０から図１２に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンタ，スキャナ，複写機，ビデオプレーヤ，タッチパネルを備えた機器等などが挙げられる。
【符号の説明】
【００５９】
１００…電気光学装置、１０……画素部、ＰIX……画素、１２……走査線、１４……信号線、２０……駆動回路、２２……走査線駆動回路、２４……信号供給回路、３０……制御回路、４２……液晶素子、４４……選択スイッチ、Ｂ[1]〜Ｂ[J]（Ｂ[j]）……配線群、Ｃ[j]……制御信号、Ｖ……垂直走査期間、Ｕ（Ｕ1，Ｕ2）……単位期間、ＴPRE……プリチャージ期間、ＴWRT……書込期間、ＶPRE……プリチャージ電位、ＶG……階調電位。
【図１】
0005664034.tif 000002
【図２】
0005664034.tif 000003
【図３】
0005664034.tif 000004
【図４】
0005664034.tif 000005
【図５】
0005664034.tif 000006
【図６】
0005664034.tif 000007
【図７】
0005664034.tif 000008
【図８】
0005664034.tif 000009
【図９】
0005664034.tif 000010
【図１０】
0005664034.tif 000011
【図１１】
0005664034.tif 000012
【図１２】
0005664034.tif 000013